(57)【要約】【課題】検出精度が低下してしまう可能性を低減することができる入力機能付き表示装置、および電子機器を提供する。【解決手段】入力装置Ｘ１は、互いに電気的に接続された複数の第１検出電極パターン４と、第１検出電極パターン４同士の間に設けられた第２検出電極パターン６と、平面視して複数の第１検出電極パターン４および第２検出電極パターン６と交差した第３検出電極パターン９と、第３検出電極パターン９に電圧を印加する電圧供給部１１１、第１検出電極パターン４から信号を受信する第１受信部１１２、第２検出電極パターン６から信号を受信する第２受信部１１３、第２受信部１１３から受信した信号に基づいて第１受信部１１２が受信した信号を補正する第１補正部１１４、および第１補正部１１４が補正した信号が所定値に達した場合に入力操作が行われたと判定する第１判定部１１５を有する制御部１１と、を備える。【選択図】図１
2015011582.tif 000002
【特許請求の範囲】
【請求項１】
互いに隣り合うとともに、互いに電気的に接続された複数の第１検出電極パターンと、
互いに隣り合う前記第１検出電極パターン同士の間に設けられており、且つ前記第１検出電極パターンとは離間した第２検出電極パターンと、
複数の前記第１検出電極パターンおよび前記第２検出電極パターンとは離間しており、平面視して複数の前記第１検出電極パターンおよび前記第２検出電極パターンと交差した第３検出電極パターンと、
前記第３検出電極パターンに電圧を印加する電圧供給部、該電圧供給部から前記第３検出電極パターンに印加された電圧に基づいて前記第１検出電極パターンから信号を受信する第１受信部、前記電圧供給部から前記第３検出電極パターンに印加された電圧に基づいて前記第２検出電極パターンから信号を受信する第２受信部、該第２受信部から受信した信号に基づいて前記第１受信部が受信した信号を補正する第１補正部、および該第１補正部が補正した信号が所定値に達した場合に入力操作が行われたと判定する第１判定部を有する制御部と、を備えた入力装置。
【請求項２】
入力領域および該入力領域の外側に位置する外側領域を有し、
前記第１検出電極パターン、前記第２検出電極パターン、および前記第３検出電極パターンは、前記入力領域に設けられており、
互いに隣り合う前記第１検出電極パターン同士を電気的に接続するとともに、前記外側領域に位置する第１配線導体と、
前記第２検出電極パターンと電気的に接続されており、前記外側領域に位置する第２配線導体と、をさらに備えた、請求項１に記載の入力装置。
【請求項３】
前記第１配線導体は、前記入力領域を挟んで前記第２配線導体の反対側に位置している、請求項２に記載の入力装置。
【請求項４】
電気的に接続された互いに隣り合う前記第１検出電極パターン同士を第１検出電極パターン群とするとき、
前記第１検出電極パターン群は、複数設けられており、
前記第２検出電極パターンは、複数の前記第１検出電極パターン群に対応して複数設けられており、
前記第２配線導体は、複数の前記第３検出電極パターンに対応して複数設けられており、
複数の前記第２配線導体は、互いに離間している、請求項２または３に記載の入力装置。
【請求項５】
電気的に接続された互いに隣り合う前記第１検出電極パターン同士を第１検出電極パターン群とするとき、
前記第１検出電極パターン群は、複数設けられており、
前記第２検出電極パターンは、複数の前記第１検出電極パターン群に対応して複数設けられており、
前記第２配線導体は、複数の前記第３検出電極パターンに対応して複数設けられており、
複数の前記第２配線導体は、互いに接続されている、請求項２または３に記載の入力装置。
【請求項６】
前記制御部は、前記第１検出電極パターンの平面視における面積と前記第２検出電極パターンの平面視における面積との比率に基づいて、前記第２受信部が受信した信号を補正する第２補正部をさらに有し、
前記第１補正部は、前記第２補正部が補正した信号に基づいて、前記第１受信部が受信した信号を補正する、請求項１〜５のいずれか一項に記載の入力装置。
【請求項７】
前記制御部は、前記第１受信部が受信した信号が所定値に達したか否かを判定する第２判定部をさらに有し、
前記第１補正部は、前記第２判定部において前記第１受信部が受信した信号が所定値に達したと判定された場合に、当該信号を前記第２受信部が受信した信号に基づいて補正する、請求項５に記載の入力装置。
【請求項８】
互いに隣り合うとともに、互いに電気的に接続された複数の第１検出電極パターンと、
互いに隣り合う前記第１検出電極パターン同士の間に設けられており、且つ前記第１検出電極パターンとは離間した第２検出電極パターンと、
複数の前記第１検出電極パターンおよび前記第２検出電極パターンとは離間しており、平面視して複数の前記第１検出電極パターンおよび前記第２検出電極パターンと交差した第３検出電極パターンと、を備えた入力装置。
【請求項９】
請求項１〜８のいずれか一項に記載の入力装置と、
前記入力装置に対向して配置された表示パネルと、を備えた表示装置。
【請求項１０】
請求項１〜８のいずれか一項に記載の入力装置と、
前記入力装置に対向して配置された表示パネルと、を備えた表示装置。
【発明の詳細な説明】
【技術分野】
【０００１】
本発明は、入力装置、表示装置、および携帯端末に関する。
【背景技術】
【０００２】
従来から、使用者における指と検出電極パターンとの間に形成される静電容量に応じて、入力操作を検出する入力装置が知られている。このような入力装置では、基体上に複数の第１検出電極パターンと複数の第２検出電極パターンとが設けられている。複数の第２検出電極パターンは、平面視して複数の第１検出電極パターンと交差している。また、複数の第１検出電極パターンのうち、隣り合う第１検出電極パターン同士は、電気的に接続されている（例えば、特許文献１参照）。このような入力装置では、例えば、第２検出電極パターンに電圧が印加されるとともに、第１検出電極パターンから信号を受信する制御部を有する。ここで、使用者における指が基体に近接した場合、第１検出電極パターンと指との間に静電容量が形成されるため、制御部において受信する信号が変化する。上記従来の入力装置では、当該信号の変化を捉えることによって、入力操作を検出することができる。
【先行技術文献】
【特許文献】
【０００３】
【特許文献１】特開２０１０−３９５１５号公報
【発明の概要】
【発明が解決しようとする課題】
【０００４】
ところで、例えば、上記従来の入力装置が携帯端末に組み込まれた場合において、当該携帯端末には、外部の電子機器が接続される可能性がある。外部の電子機器が携帯端末に接続されると、入力装置におけるグランド電位が、アース電位に対して変動してしまう可能性があった。入力装置におけるグランド電位に変動が生じると、使用者における指と第１検出電極パターンとの間に形成される静電容量によって、当該第１検出電極パターンに電流が流れてしまう可能性があった。このため、当該電流がノイズとなり、入力装置における入力操作の検出精度が低下してしまう可能性があった。
【０００５】
本発明は、このような事情を鑑みてなされたものであり、その目的は、検出精度が低下してしまう可能性を低減することができる入力装置、表示装置、および携帯端末に関する。
【課題を解決するための手段】
【０００６】
本発明に係る入力装置の一態様は、互いに隣り合うとともに、互いに電気的に接続された複数の第１検出電極パターンと、互いに隣り合う前記第１検出電極パターン同士の間に設けられており、且つ前記第１検出電極パターンとは離間した第２検出電極パターンと、複数の前記第１検出電極パターンおよび前記第２検出電極パターンとは離間しており、平面視して複数の前記第１検出電極パターンおよび前記第２検出電極パターンと交差した第３検出電極パターンと、前記第３検出電極パターンに電圧を印加する電圧供給部、該電圧供給部から前記第３検出電極パターンに印加された電圧に基づいて前記第１検出電極パターンから信号を受信する第１受信部、前記電圧供給部から前記第３検出電極パターンに印加された電圧に基づいて前記第２検出電極パターンから信号を受信する第２受信部、該第２受信部から受信した信号に基づいて前記第１受信部が受信した信号を補正する第１補正部、および該第１補正部が補正した信号が所定値に達した場合に入力操作が行われたと判定する第１判定部を有する制御部と、を備える
【０００７】
本発明に係る表示装置の一態様は、本発明に係る入力装置と、前記入力装置に対向して配置された表示パネルと、を備える。
【０００８】
本発明に係る携帯端末の一態様は、本発明に係る表示装置と、前記表示パネルを収容した筺体と、外部の電子機器に対して電気的に接続するための外部接続端子と、を備える。
【発明の効果】
【０００９】
本発明の入力装置、表示装置、および携帯端末は、検出精度が低下してしまう可能性を低減することができる、という効果を奏する。
【図面の簡単な説明】
【００１０】
【図１】本実施形態に係る入力装置の概略構成を示す平面図である。
【図２】図１に示したＩ−Ｉ線断面図である。
【図３】図１に示した１点鎖線で囲んだ領域Ａ１を拡大した図である。
【図４】本実施形態に係る入力装置の概略構成を示すブロック図である。
【図５】（ａ）図３に示したＩＩ−ＩＩ線断面図であり、静電容量の形成を示した概略図である。（ｂ）図３に示したＩＩ−ＩＩ線断面図であり、入力装置に対して指が近接した場合における静電容量の形成を示した概略図である。
【図６】本実施形態に係る入力装置の動作を説明するフローチャートである。
【図７】本実施形態に係る表示装置の概略を示す断面図である。
【図８】本実施形態に係る携帯端末の概略構成を示す斜視図である。
【図９】変形例１に係る入力装置の概略構成を示す平面図である。
【図１０】変形例１に係る入力装置の概略構成を示すブロック図である。
【図１１】変形例２に係る入力装置の動作を説明するフローチャートである。
【図１２】変形例３に係る入力装置の概略構成を示すブロック図である。
【図１３】変形例３に係る入力装置の動作を説明するフローチャートである。
【発明を実施するための形態】
【００１１】
以下、本発明の実施形態について、図面を参照しながら説明する。
【００１２】
但し、以下で参照する各図は、説明の便宜上、本発明の一実施形態の構成部材のうち、本発明を説明するために必要な主要部材を簡略化して示したものである。したがって、本発明に係る入力装置、表示装置、および携帯端末は、本明細書が参照する各図に示されていない任意の構成部材を備え得る。
【００１３】
まず、図１〜図３を参照しながら、本実施形態に係る入力装置Ｘ１の外観構成について説明する。図１は、入力装置Ｘ１の概略構成を示した平面図である。図２は、図１中に示したＩ−Ｉ線断面図である。図３は、図１中に示した１点鎖線で囲んだ領域Ａ１を拡大した図である。
【００１４】
図１に示すように、本実施形態に係る入力装置Ｘ１は、静電容量方式のタッチパネルであって、入力領域Ｅ１および外側領域Ｅ２を有している。入力領域Ｅ１は、使用者が入力操作を行うことができる領域である。外側領域Ｅ２は、使用者が入力操作を行うことができない領域である。本実施形態では、外側領域Ｅ２は、平面視して加飾部３ｂが位置する全領域を指す。また、本実施形態では、外側領域Ｅ２は、入力領域Ｅ１を取り囲むように当該入力領域Ｅ１の外側に位置しているが、これに限らず、入力領域Ｅ１内に位置していてもよい。
【００１５】
図１〜図３に示すように、入力装置Ｘ１は、基体２、加飾層３、第１検出電極パターン４、第１配線導体５、第２検出電極パターン６、第２配線導体７、絶縁層８、第３検出電極パターン９、第３配線導体１０、および制御ＩＣ１１を備えている。なお、図１および図３では、説明の便宜上、加飾層３および絶縁層８の図示は省略する。また、図１および図３では、図面の見やすさの観点から、第１配線導体５、第２配線導体７、および第３配線導体１０は実線で示す。
【００１６】
基体２は、加飾層３、第１検出電極パターン４、第１配線導体５、第２検出電極パターン６、第２配線導体７、絶縁層８、第３検出電極パターン９、および第３配線導体１０を支持する役割を有する。基体２は、第１主面２Ａおよび第２主面２Ｂを有する。第１主面２Ａは、第２主面２Ｂよりも使用者側に位置している。第２主面２Ｂは、第１主面２Ａの反対側に位置している。具体的には、第２主面２Ｂは、第１主面２Ａよりも使用者から遠い側に位置している。なお、本実施形態では、基体２は、平面視して矩形状であるが、これに限らない。基体２は、平面視して円形状あるいは多角形状等であってもよい。本実施形態では、基体２の構成材料はガラスであるが、ガラスに代えてプラスチック等の透明樹脂材料を採用してもよい。
【００１７】
加飾層３は、基体２の第１主面２Ａを加飾する役割を有する。加飾層３は、基体２の第１主面２Ａの略全面に亘って設けられている。加飾層３は、透光性を有するフィルム部３ａ、および任意の色によって着色された加飾部３ｂを有する。加飾部３ｂは、外側領域Ｅ２に対応する基体２の第１主面２Ａ上にのみ設けられている。また、加飾部３ｂは、基体２の第１主面２Ａとフィルム部３ａとの間に位置している。フィルム部３ａの構成材料としては、例えば、プラスチック等が挙げられる。加飾部３ｂの構成材料としては、例えば、樹脂材料に対して、着色材料であるカーボン、チタン、あるいはクロム等を含有したものが挙げられる。加飾層３は、例えば、アクリル系粘着材、シリコーン系粘着材、ゴム系粘着材、あるいはウレタン系粘着材によって基体２の第１主面２Ａ上に接着される。
【００１８】
第１検出電極パターン４は、第３検出電極パターン９に印加された電圧に基づいて、制御ＩＣ１１に含まれる第１受信部１１２（図５参照）に対して信号を出力する電極である。第１検出電極パターン４は、入力領域Ｅ１に対応する基体２の第２主面２Ｂ上において、基体２の長手方向（図１にてＹ方向）に並んで複数設けられている。なお、本実施形態では、第１検出電極パターン４は、平面視して基体２の短手方向（図１にてＸ方向）に延びる略矩形状であるが、これに限らない。第１検出電極パターン４の平面視における形状は、入力装置Ｘ１の使用態様に応じて適宜変更することができる。
【００１９】
第１検出電極パターン４の構成材料としては、透光性を有する導電性部材が挙げられる。透光性を有する導電性部材としては、例えば、ＩＴＯ（Indium Tin Oxide）、ＩＺＯ（Indium Zinc Oxide）、ＡＺＯ（Al-Doped Zinc Oxide）、酸化錫、酸化亜鉛、あるいは導電性高分子が挙げられる。なお、第１検出電極パターン４は、例えば、金属細線によって形成されていてもよい。第１検出電極パターン４の形成方法としては、例えば、上述の材料をスパッタリング法、蒸着法、あるいはＣＶＤ（Chemical Vapor Deposition）法によって成膜する。そして、この膜の表面に感光性樹脂を塗布し、露光、現像、エッチング工程を経て、膜が所定形状にパターニングされることによって形成される。
【００２０】
第１配線導体５は、第１検出電極パターン４と図示しない制御ＩＣ１１とを電気的に接続する役割を有する。第１配線導体５は、外側領域Ｅ２に対応する基体２の第２主面２Ｂ上に複数設けられている。第１配線導体５の一端は、図１において紙面左側に位置する第１検出電極パターン４の端部に電気的に接続されている。なお、本実施形態では、第１配線導体５の一端は、入力領域Ｅ１において第１検出電極パターン４の端部に接続されているが、これに限らず、外側領域Ｅ２において第１検出電極パターン４の端部に接続されていてもよい。第１配線導体５の一端が外側領域Ｅ２に位置していると、第１配線導体５の一端が視認されてしまう可能性を加飾部３ｂによって低減することができる。第１配線導体５の他端は、外側領域Ｅ２に含まれる導通領域Ｅ３に位置している。このため、第１配線導体５は、導通領域Ｅ３において、図示しない配線基板を介して制御ＩＣ１１と電気的に接続される。
【００２１】
ここで、図３に示すように、第１配線導体５の一端は、２本に分岐している。２本に分岐した第１配線導体５の一端は、互いに隣り合う第１検出電極パターン４に対してそれぞれ接続されている。このため、１つの第１配線導体５によって、互いに隣り合う２つの第１検出電極パターン４同士が電気的に接続されている。入力装置Ｘ１では、電気的に接続された互いに隣り合う２つの第１検出電極パターン４を、第１検出電極パターン群４Ａと称する。本実施形態では、第１検出電極パターン４は、１８つ設けられている。このため、第１検出電極パターン群４Ａは、９つ存在することになる。なお、第１検出電極パターン４の個数は任意であり、入力装置Ｘ１の使用態様に応じて適宜変更することができる。また、第１検出電極パターン群４Ａに含まれる第１検出電極パターン４は、２つに限らず、２つ以上であればよい。
【００２２】
第１配線導体５は、例えば、硬質で高い形状安定性を得るべく、金属薄膜で形成される。金属薄膜の構成材料としては、例えば、アルミニウム膜、アルミニウム合金膜、クロム膜とアルミニウム膜との積層膜、クロム膜とアルミニウム合金膜との積層膜、銀膜、銀合金膜、あるいは金合金膜が挙げられる。金属薄膜を形成する方法としては、例えば、スパッタリング法、ＣＶＤ法、あるいは蒸着法が挙げられる。
【００２３】
第２検出電極パターン６は、第３検出電極パターン９に印加された電圧に基づいて、制御ＩＣ１１に含まれる第２受信部１１３（図５参照）に対して信号を出力する電極である。第２検出電極パターン６は、基体２の第２主面２Ｂ上において、Ｙ方向に並んで複数設けられている。本実施形態では、第２検出電極パターン６は、平面視してＸ方向に延びる略矩形状であり、Ｘ方向における第２検出電極パターン６の長さと第１検出電極パターン４の長さとは略同一である。なお、第２検出電極パターン６の平面視における形状は、入力装置Ｘ１の使用態様に応じて適宜変更することができる。
【００２４】
第２検出電極パターン６は、第１検出電極パターン群４Ａに対応して８つ設けられている。具体的には、第２検出電極パターン６は、第１検出電極パターン群４Ａに含まれた互いに隣り合う２つの第１検出電極パターン４の間に設けられている。また、第２検出電極パターン６は、第１検出電極パターン４とは離間している。すなわち、第２検出電極パターン６は、第１検出電極パターン４とは電気的に独立している。
【００２５】
第２検出電極パターン６の構成材料および形成方法としては、第１検出電極パターン４と同様のものが挙げられる。
【００２６】
第２配線導体７は、第１検出電極パターン４と図示しない制御ＩＣ１１とを電気的に接続する役割を有する。第２配線導体７は、外側領域Ｅ２に対応する基体２の第２主面２Ｂ上に複数設けられている。複数の第２配線導体７は、互いに離間している。すなわち、複数の第２配線導体７は、互いに電気的に独立している。第２配線導体７の一端は、図１において紙面右側に位置する第２検出電極パターン６の端部に電気的に接続されている。なお、本実施形態では、第２配線導体７の一端は、入力領域Ｅ１において第２検出電極パターン６の端部に接続されているが、これに限らず、外側領域Ｅ２において第２検出電極パターン６の端部に接続されていてもよい。第２配線導体７の一端が外側領域Ｅ２に位置していると、第２配線導体７の一端が視認されてしまう可能性を加飾部３ｂによって低減することができる。第２配線導体７の他端は、導通領域Ｅ３に位置している。このため、第２配線導体７は、導通領域Ｅ３において、図示しない配線基板を介して制御ＩＣ１１と電気的に接続される。
【００２７】
第２配線導体７の構成材料および形成方法としては、第１配線導体５と同様のものが挙げられる。
【００２８】
絶縁層８は、第１検出電極パターン４、第１配線導体５、第２検出電極パターン６、および第２配線導体７を保護する役割を有する。ここで、これらの部材を保護する役割としては、例えば、水分の吸湿による腐食から保護する役割、あるいは、不要な電気的接続から保護する役割等が挙げられる。絶縁層８は、基体２の第２主面２Ｂの略全面に亘って設けられている。絶縁層８は、第１検出電極パターン４、第１配線導体５、第２検出電極パターン６、および第２配線導体７の少なくとも一部を被覆している。また、絶縁層８は、導通領域Ｅ３において切欠かれている。このため、第１配線導体５の他端および第２配線導体７の他端は、導通領域Ｅ３において絶縁層８から露出している。なお、絶縁層８は、基体２の第２主面２Ｂの略全面に亘って設けられていなくともよく、例えば、入力領域Ｅ１に対応する基体２の第２主面２Ｂ上にのみ設けられていてもよい。
【００２９】
絶縁層８の構成材料としては、例えば、アクリル系樹脂、シリコーン系樹脂、ゴム系樹脂、ウレタン系樹脂、あるいは、ケイ素を含む無機化合物が挙げられる。絶縁層８の形成方法としては、例えば、転写印刷法、スピンコート法、あるいはスリットコート法が挙げられる。
【００３０】
第３検出電極パターン９は、制御ＩＣ１１に含まれる電圧供給部１１１（図５参照）から電圧を印加される電極である。第３検出電極パターン９は、入力領域Ｅ１に対応する基体２の第２主面２Ｂ上において、Ｘ方向に並んで複数設けられている。具体的には、第３検出電極パターン９は、入力領域Ｅ１に対応する絶縁層８上に設けられている。なお、本実施形態では、第３検出電極パターン９は、Ｙ方向に延びる略矩形状であるが、これに限らない。第３検出電極パターン９の平面視における形状は、入力装置Ｘ１の使用態様に応じて適宜変更することができる。
【００３１】
第３検出電極パターン９は、平面視して複数の第１検出電極パターン４および第２検出電極パターン６と交差している。ここで、上記のとおり、第３検出電極パターン９は、絶縁層８上に設けられている。このため、第３検出電極パターン９は、第１検出電極パターン４および第２検出電極パターン６とは電気的に独立している。なお、絶縁層８を設けない場合、第３検出電極パターン９は、基体２の第２主面２Ｂ上に直接設けられていてもよい。このような場合、平面視して第３検出電極パターン９と第１検出電極パターン４および第２検出電極パターン６とが交差する複数の領域に対応して、複数の絶縁体が設けられる。すなわち、第３検出電極パターン９は、平面視して第１検出電極パターン４または第２検出電極パターン６と交差する領域においては、絶縁体を跨いで設けられる。
【００３２】
第３検出電極パターン９の構成材料および形成方法としては、第１検出電極パターン４と同様のものが挙げられる。
【００３３】
第３配線導体１０は、第３検出電極パターン９と図示しない制御ＩＣ１１とを電気的に接続する役割を有する。第３配線導体１０は、外側領域Ｅ２に対応する基体２の第２主面２Ｂ上に複数設けられている。具体的には、第３配線導体１０は、外側領域Ｅ２に対応する絶縁層８上に設けられている。第３配線導体１０の一端は、図１において紙面下側に位置する第３検出電極パターン９の端部に電気的に接続されている。なお、本実施形態では、第３配線導体１０の一端は、入力領域Ｅ１において第３検出電極パターン９の端部に接続されているが、これに限らず、外側領域Ｅ２において第３検出電極パターン９の端部に接続されていてもよい。第３配線導体１０の一端が外側領域Ｅ２に位置していると、第３配線導体１０の一端が視認されてしまう可能性を加飾部３ｂによって低減することができる。第３配線導体１０の他端は、導通領域Ｅ３に位置している。このため、第３配線導体１０は、導通領域Ｅ３において、図示しない配線基板を介して制御ＩＣ１１と電気的に接続される。
【００３４】
第３配線導体１０の構成材料および形成方法としては、第１配線導体５と同様のものが挙げられる。  なお、本実施形態では、入力装置Ｘ１は、カバーガラス一体型の静電容量方式のタッチパネルであるが、これに限らない。入力装置Ｘ１は、積層型あるいはオン・セル型の静電容量方式のタッチパネルであってもよい。入力装置Ｘ１が積層型である場合、基体２の第２主面２Ｂは、第１主面２Ａよりも使用者に近い側に位置することになる。また、入力装置Ｘ１がオン・セル型である場合は、基体２は、基体２の第２主面２Ｂは、第１主面２Ａよりも使用者に近い側に位置するとともに、表示パネル１２の第１基板１２ａ（図７参照）と一体に形成されることになる。
【００３５】
制御ＩＣ１１は、入力装置Ｘ１の動作を制御する役割を有する。制御ＩＣ１１は、導通領域Ｅ３に位置する第１配線導体５を介して、第１検出電極パターン群４Ａと電気的に接続されている。制御ＩＣ１１は、導通領域Ｅ３に位置する第２配線導体７を介して、第２検出電極パターン６と電気的に接続されている。制御ＩＣ１１は、導通領域Ｅ３に位置する第３配線導体１０を介して、第３検出電極パターン９と電気的に接続されている。制御ＩＣ１１は、例えば、入力装置Ｘ１が表示装置Ｙ１に組み込まれた場合に（図７参照）、回路基板１４上に設けることができる。
【００３６】
ここで、図４および図５を参照しながら、制御ＩＣ１１の機能について詳細に説明する。図４は、入力装置Ｘ１の概略構成を示すブロック図である。図４において、１点鎖線で取り囲んだブロックは、制御ＩＣ１１が有する機能ブロックである。図５の（ａ）は、図３に示したＩＩ−ＩＩ線断面図であり、静電容量の形成を示した概略図である。図５の（ｂ）は、図３に示したＩＩ−ＩＩ線断面図であり、入力装置Ｘ１に対して指が近接した場合における静電容量の形成を示した概略図である。
【００３７】
図４に示すように、制御ＩＣ１１は、電圧供給部１１１、第１受信部１１２、第２受信部１１３、第１補正部１１４、および第１判定部１１５を有する。なお、制御ＩＣ１１が有する各部における機能は、例えば、ＣＰＵ（Central Processing Unit）等の任意の好適なプロセッサ上で実行されるソフトウェアによって実現してもよいし、デジタルシグナルプロセッサ等の専用のプロセッサによって実現してもよい。制御ＩＣ１１が有する各部における機能は、複数のＩＣによって個別に実現してもよいし、１つのＩＣによって実現してもよい。
【００３８】
次に、図４を参照しながら、制御ＩＣ７１が備える第１制御部１１０、動作制御部１２０、第２制御部１３０、および基準電位設定部１４０について、具体的に説明する。
【００３９】
電圧供給部１１１は、第３検出電極パターン９に対して入力信号Ｖinを供給する役割を有する。本実施形態では、入力信号Ｖinは、所定周波数の波形を有する電圧Ｖ１である。
【００４０】
第１受信部１１２は、入力信号Ｖinに対応した出力信号Ｉ１を、第１検出電極パターン群４Ａから受信する役割を有する。
【００４１】
具体的には、図５の（ａ）に示すように、第１検出電極パターン群４Ａに含まれる一方の第１検出電極パターン４には、容量Ｃ１および容量Ｃ２が形成される。容量Ｃ１は、平面視して一方の第１検出電極パターン４と第３検出電極パターン９とが重なる部位に形成される容量である。容量Ｃ２は、フリンジ効果によって一方の第１検出電極パターン４と当該一方の第１検出電極パターン４の側方に位置する第３検出電極パターン９との間に形成される容量である。また、第１検出電極パターン群４Ａに含まれる他方の第１検出電極パターン４には、容量Ｃ３および容量Ｃ４が形成される。容量Ｃ３は、平面視して他方の第１検出電極パターン４と第３検出電極パターン９とが重なる部位に形成される容量である。容量Ｃ４は、フリンジ効果によって他方の第１検出電極パターン４と当該他方の第１検出電極パターン４の側方に位置する第３検出電極パターン９との間に形成される容量である。ここで、第３検出電極パターン９に入力信号Ｖinが供給されると、容量Ｃ１〜Ｃ４に応じて、第１検出電極パターン群４Ａに電流が流れる。第１受信部１１２は、当該電流を出力信号Ｉ１として受信する。
【００４２】
ここで、図５の（ｂ）に示すように、使用者の指Ｆ１が基体２の第１主面２Ａに近接した場合、当該指Ｆ１と第１検出電極パターン群４Ａとの間に容量が形成される。具体的には、第１検出電極パターン群４Ａに含まれる一方の第１検出電極パターン４と指Ｆ１との間には、容量Ｃ５が形成される。第１検出電極パターン群４Ａに含まれる他方の第１検出電極パターン４と指Ｆ１との間には、容量Ｃ６が形成される。ここで、一方の第１検出電極パターン４と第３検出電極パターン９との間に形成されていた容量Ｃ２は、指Ｆ１の近接によって、当該指Ｆ１と第３検出電極パターン９との間に形成される容量Ｃ２´に変化する。同様に、他方の第１検出電極パターン４と第３検出電極パターン９との間に形成されていた容量Ｃ４は、指Ｆ１の近接によって、当該指Ｆ１と第３検出電極パターン９との間に形成される容量Ｃ４´に変化する。このため、指Ｆ１が基体２の第１主面２Ａに近接した場合における出力信号Ｉは、指Ｆ１が基体２の第１主面２Ａに近接していない場合における出力信号Ｉ１に比して小さくなる。入力装置Ｘ１では、この出力信号Ｉ１の変化を捉えて入力操作を検出することとなる。
【００４３】
第２受信部１１３は、入力信号Ｖinに対応した出力信号Ｉ２を、第２検出電極パターン６から受信する役割を有する。
【００４４】
具体的には、図５の（ａ）に示すように、第２検出電極パターン６には、容量Ｃ７が形成される。容量Ｃ７は、平面視して第２検出電極パターン６と第３検出電極パターン９とが重なる部位に形成される容量である。ここで、第３検出電極パターン９に入力信号Ｖinが供給されると、容量Ｃ７に応じて、第２検出電極パターン６に電流が流れる。第２受信部１１３は、当該電流を出力信号Ｉ２として受信する。なお、第２検出電極パターン６は、第１検出電極パターン群４Ａに含まれる一方の第１検出電極パターン４と他方の第１検出電極パターン４との間に挟まれている。このため、第２検出電極パターン６では、第３検出電極パターン９との間におけるフリンジ効果が抑制される。すなわち、第２検出電極パターン６と第３検出電極パターン９との間において、フリンジ効果によって形成される容量は、容量Ｃ２および容量Ｃ４に比して無視できる程度に小さくなる。
【００４５】
また、図５の（ｂ）に示すように、使用者の指Ｆ１が基体２の第１主面２Ａに近接した場合、当該指Ｆ１と第２検出電極パターン６との間には、容量Ｃ８が形成される。第１検出電極パターン群４Ａに含まれる他方の第１検出電極パターン４と指Ｆ１との間には、容量Ｃ６が形成される。
【００４６】
第１補正部１１４は、第２受信部１１３が受信した出力信号Ｉ２に応じて第１受信部１１２が受信した出力信号Ｉ１を補正する役割を有する。入力装置Ｘ１では、第１補正部１１４によって出力信号Ｉ１を補正することで、検出精度が低下してしまう可能性を低減することができる。
【００４７】
具体的には、例えば、入力装置Ｘ１が携帯端末Ｚ１に組み込まれた場合において（図８参照）、携帯端末Ｚ１には、外部接続端子２０５を介して外部の電子機器が接続される可能性がある。携帯端末Ｚ１に外部の電子機器が接続されると、当該電子機器におけるグランド電位と入力装置Ｘ１におけるグランド電位とが接続されることによって、入力装置Ｘ１におけるグランド電位に変動が生じてしまう可能性がある。具体的には、入力装置Ｘ１におけるグランド電位には、携帯端末Ｚ１に接続される外部の電子機器の種類によって異なるものの、例えば、振幅０．５Ｖ、周波数４００ｋＨｚ程度の変動が生じる。当該変動が生じると、入力装置Ｘ１におけるグランド電位と指Ｆ１におけるアース電位との間に電位差が生じる。このため、図５の（ｂ）に示すように、指Ｆ１が基体２の第１主面２Ａに近接した場合に、容量Ｃ５およびＣ６を介して第１検出電極パターン群４Ａにノイズ信号ＩＸとしての電流が流れる。すなわち、第１受信部１１２において受信する出力信号Ｉ１は、容量Ｃ２およびＣ４に加えて、ノイズ信号ＩＸによっても変化することになる。このため、入力装置Ｘ１の検出精度が低下してしまう可能性がある。
【００４８】
そこで、入力装置Ｘ１では、第１検出電極パターン群４Ａに含まれる一方の第１検出電極パターン４と他方の第１検出電極パターン４との間に第２検出電極パターン６が設けられている。図５の（ｂ）に示すように、指Ｆ１が基体２の第１主面２Ａに近接した場合に、容量Ｃ８を介して第２検出電極パターン６にノイズ信号ＩＸとしての電流が流れる。ここで、上述したとおり、第２検出電極パターン６と第３検出電極パターン９との間において、フリンジ効果によって形成される容量は、容量Ｃ２および容量Ｃ４に比して無視できる程度に小さい。すなわち、第２受信部１１３において受信する出力信号Ｉ２では、ノイズ信号ＩＸによってのみ変化するものとみなすことができる。このため、第１補正部１１４において、出力信号Ｉ２に応じて出力信号Ｉ１を補正することによって、出力信号Ｉ１におけるノイズ信号ＩＸの影響を実質的にキャンセルすることができる。そのため、入力装置Ｘ１の検出精度が低下してしまう可能性を低減することができる。
【００４９】
第１判定部１１５は、入力操作が行われた否かを判定する役割を有する。第１判定部１１５には、例えば、所定の閾値が記録されている。第１判定部１１５は、第１補正部１１４において補正された出力信号Ｉ１が閾値に達したと判定した場合に、入力操作が行われたと判定する。
【００５０】
なお、本実施形態のように、第１配線導体５は、入力領域Ｅ１を挟んで第２配線導体７の反対側に位置することが好ましい。このような構成によれば、平面視して第１配線導体５と第２配線導体７とが重なる可能性を低減することができる。このため、第１配線導体５と第２配線導体７とが電気的に干渉する可能性を低減することができる。
【００５１】
また、本実施形態のように、第２検出電極パターン６が複数の第１検出電極パターン群４Ａに対応して複数設けられており、複数の第２検出電極パターン６が互いに独立していることが好ましい。このような構成によれば、１つの第１検出電極パターン群４Ａから第１受信部１１２が受信した出力信号Ｉ１を、当該第１検出電極パターン群４Ａに対応する第２検出電極パターン６から第２受信部１１３が受信した出力信号Ｉ２に応じて補正することができる。このため、第１補正部１１４における補正の手順を簡略化することができる。
【００５２】
また、第２検出電極パターン６の平面視における面積は、第１検出電極パターン群４Ａの平面視における面積と略同一であることが好ましい。このような構成によれば、指Ｆ１が基体２の第１主面２Ａに近接した場合に、第１検出電極パターン群４Ａに流れるノイズ信号ＩＸと、第２検出電極パターン６に流れるノイズ信号ＩＸとを略同一にすることができる。このため、面積差に応じた補正を必要とせず、第１補正部１１４における補正の手順を簡略化することができる。
【００５３】
また、第２検出電極パターン６と第１検出電極パターン４との離間距離は、相対的に小さいことが好ましい。具体的には、第２検出電極パターン６と第１検出電極パターン４との離間距離は、絶縁層８の厚みの半分以下であることが好ましい。また、絶縁層８を設けることなく、基体２の第２主面２Ｂ上に直接第３検出電極パターン９を設ける場合は、第２検出電極パターン６と第１検出電極パターン４との離間距離は、１０〜３００μｍ程度であることが好ましい。このような構成によれば、フリンジ効果によって第２検出電極パターン６と第３検出電極パターン９との間に容量が形成される可能性を低減することができる。
【００５４】
次に、図６を参照しながら、入力装置Ｘ１の動作について説明する。図６は、入力装置Ｘ１の動作を説明するフローチャート図である。
【００５５】
図６に示すように、電圧供給部１１１は、第３検出電極パターン９に対して入力信号Ｖinを供給する（Ｏｐ１）。次に、第１受信部１１２は、Ｖinに応じて第１検出電極パターン群４Ａから出力された出力信号Ｉ１を受信する（Ｏｐ２）。また、第２受信部１１３は、Ｖinに応じて第２検出電極パターン６から出力された出力信号Ｉ２を受信する（Ｏｐ３）。なお、本実施形態では、第１検出電極パターン群４Ａおよび当該第１検出電極パターン群４Ａに対応する第２検出電極パターン６については、Ｏｐ２とＯｐ３とを同じタイミングで行っている。ここで、指Ｆ１が基体２の第１主面２Ａに近接した場合に、容量Ｃ２および容量Ｃ４は、容量Ｃ２´および容量Ｃ４´に変化する。また、第１検出電極パターン群４Ａおよび第２検出電極パターン６には、容量Ｃ５、容量Ｃ６、および容量Ｃ８を介してノイズ信号ＩＸが流れる。そこで、第１補正部１１４は、出力信号Ｉ２に基づいて、出力信号Ｉ１を補正する（Ｏｐ４）。これにより、出力信号Ｉ１に対するノイズ信号ＩＸの影響をキャンセルし、容量Ｃ２および容量Ｃ４が容量Ｃ２´および容量Ｃ４´へと変化したことによる出力信号Ｉ１の変化量を補正値として算出する。次に、第１判定部１１５は、当該第１判定部１１５に記録された閾値と第１補正部１１４における補正値とを比較し（Ｏｐ５）、補正値が閾値に達したと判定した場合に（Ｏｐ５にてＹＥＳ）入力操作を検出する（Ｏｐ６）。一方、補正値が閾値に達していないと判定した場合には（Ｏｐ５にてＮＯ）、Ｏｐ１から動作を繰り返す。このような動作によって、入力装置Ｘ１の検出精度が低下してしまう可能性を低減することができる。
【００５６】
次に、図７を参照しながら、入力装置Ｘ１を備えた表示装置Ｙ１について説明する。図７は、入力装置Ｘ１を備えた表示装置Ｙ１の概略構成を示した断面図である。
【００５７】
図７に示すように、本実施形態に係る表示装置Ｙ１は、入力装置Ｘ１、表示パネル１２、バックライト１３、回路基板１４、および第１筺体１５を備えている。
【００５８】
表示パネル１２は、画像あるいは動画を表示する役割を有する。表示パネル１２は、上側基板１２ａ、下側基板１２ｂ、液晶層１２ｃ、および封止部材１２ｄを有する。
【００５９】
上側基板１２ａは、入力装置Ｘ１の基体２の第２主面２Ｂに対向して、配置されている。なお、入力装置Ｘ１は、固定部材を介して上側基板１２ａ上に設けられていてもよい。固定部材としては、例えば、両面テープ、熱硬化性樹脂、紫外線硬化性樹脂、あるいはねじ等の止め具が挙げられる。下側基板１２ｂは、上側基板１２ａに対向して配置されている。上側基板１２ａおよび下側基板１２ｂの構成材料としては、例えば、ガラスあるいはプラスチック等の透明樹脂材料が挙げられる。
【００６０】
液晶層１２ｃは、画像を表示するための表示部材層であり、上側基板１２ａと下側基板１２ｂとの間に介在している。具体的には、液晶層１２ｃは、上側基板１２ａ、下側基板１２ｂ、および封止部材１２ｄによって、上側基板１２ａと下側基板１２ｂとの間の領域に封止されている。なお、本実施形態に係る表示パネル１２では、表示部材層として液晶層１２ｃを備えているが、これに限らない。液晶層１２ｃに変えて、プラズマ発生層あるいは有機ＥＬ層等を備えていてもよい。
【００６１】
バックライト１３は、表示パネル１２の下面全体にわたって、光を入射する役割を有する。バックライト１３は、表示パネル１２の後方に配置されている。バックライト１３は、光源１３ａおよび導光板１３ｂを備えている。光源１３ａは、導光板１３ｂに向けて光を出射する役割を担う部材であり、ＬＥＤ（Light Emitting Diode）から構成されている。なお、光源１３ａはＬＥＤから構成されていなくともよく、例えば、冷陰極蛍光ランプ、ハロゲンランプ、キセノンランプあるいはＥＬ（Electro-Luminescence）から構成されてもよい。導光板１３ｂは、表示パネル１２の下面全体にわたって、光源１３ａからの光を略均一に導くための役割を担う部材である。なお、表示パネル１２の代わりに自発光素子を用いた表示パネルを用いる場合は、バックライト１３はなくともよい。
【００６２】
回路基板１４は、例えば、表示パネル１２およびバックライト１３を制御する制御回路、抵抗器、あるいはコンデンサ等の電子部品を支持する役割を有する。回路基板１４は、バックライト１３の後方に配置されている。回路基板１４上に配置された制御回路は、図示しないフレキシブルプリント配線基板によって、表示パネル１２およびバックライト１３と電気的に接続されている。なお、入力装置Ｘ１の制御ＩＣ１１は、当該回路基板１４に設けられていてもよい。
【００６３】
第１筐体１５は、入力装置Ｘ１を支持する役割、および、表示パネル１２、バックライト１３、及び回路基板１４を収容する役割を有する。第１筐体１５は、一部が開口して形成されており、当該開口において入力装置Ｘ１における加飾層３が露出している。また、表示パネル１２、バックライト１３、および回路基板１４は、第１筐体１５および入力装置Ｘ１によって取り囲まれる領域に位置している。
【００６４】
第１筐体１５の構成材料としては、例えば、ポリカーボネート等の樹脂、あるいは、ステンレス鋼、アルミニウム等の金属が挙げられる。
【００６５】
このように、表示装置Ｙ１は、入力装置Ｘ１を介して表示パネル１２を透視しながら、入力装置Ｘ１の入力領域Ｅ１を入力操作することによって、各種の情報を入力することができる。
【００６６】
以上のように、表示装置Ｙ１では、入力装置Ｘ１を備えているため、検出精度が低下してしまう可能性を低減することができる。
【００６７】
次に、図８を参照しながら、表示装置Ｙ１を備えた携帯端末Ｚ１について説明する。図８は、表示装置Ｙ１を備えた携帯端末Ｚ１の斜視図である。
【００６８】
図８に示すように、本実施形態に係る携帯端末Ｚ１は、スマートフォン端末である。なお、携帯端末Ｚ１は、スマートフォン端末に限らず、例えば、携帯電話、タブレット端末、あるいはＰＤＡ（Personal Digital Assistant）等の電子機器であってもよい。
【００６９】
携帯端末Ｚ１は、表示装置Ｙ１、音声入力部２０１、音声出力部２０２、キー入力部２０３、および第２筐体２０４を備えている。
【００７０】
音声入力部２０１は、使用者の音声等を入力する役割を有し、マイク等により構成されている。音声出力部２０２は、相手方からの音声等を出力する役割を有し、電磁スピーカあるいは圧電スピーカ等により構成されている。キー入力部２０３は、機械的なキーにより構成されている。キー入力部２０３は、表示画面に表示された操作キーであってもよい。第２筐体２０４は、表示装置Ｙ１、音声入力部２０１、音声出力部２０２、およびキー入力部２０３を収容する役割を有する。第２筐体２０４の構成材料としては、第１筺体１５と同様のものが挙げられる。なお、第２筐体２０４と表示装置Ｙ１の第１筺体１５とは、一体であってもよい。
【００７１】
ここで、第２筐体２０４の一部には、開口が設けられており、当該開口において外部接続端子２０５が設けられている。このため、携帯端末Ｚ１は、外部接続端子２０５を介して充電器等の外部の電子機器に接続することができる。ここで、外部接続端子２０５に外部の電子機器が接続された場合、当該電子機器は、入力装置Ｘ１におけるグランド電位に接続されることになる。この際、入力装置Ｘ１におけるグランド電位は、コモンモードノイズによって変動することになる。携帯端末Ｚ１では、入力装置Ｘ１を備えているために当該ノイズによって入力装置Ｘ１の検出精度が低下してしまう可能性を低減することができる。
【００７２】
なお、携帯端末Ｚ１は、必要な機能に応じて、デジタルカメラ機能部、ワンセグ放送用チューナ、赤外線通信機能部等の近距離無線通信部、無線ＬＡＮモジュール、および各種インタフェース等を備える場合もあるが、これらの詳細についての図示および説明は省略する。
【００７３】
また、表示装置Ｙ１は、上記の携帯端末Ｚ１の代わりに、電子手帳、パーソナルコンピュータ、複写機、ゲーム用の端末装置、テレビ、デジタルカメラ、あるいは産業用途で使用されるプログラマブル表示器等の様々な電子機器に備えられていてもよい。
【００７４】
なお、上述した実施形態は、本発明の実施形態の一具体例を示したものであり、種々の変形が可能である。以下、いくつかの主な変形例を示す。
【００７５】
［変形例１］  図９は、変形例１に係る入力装置Ｘ２の概略構成を示す平面図である。図１０は、変形例１に係る入力装置Ｘ２の概略構成を示すブロック図である。図１１は、変形例１に係る入力装置Ｘ２の動作を示すフローチャート図である。なお、図９〜図１１において、図１、図４、および図６と同様の機能を有する構成については、同じ参照符号を付記し、その詳細な説明は省略する。また、図９では、説明の便宜上、加飾層３および絶縁層８の図示は省略する。また、図９では、図面の見やすさの観点から、第１配線導体５、第２配線導体２１、および第３配線導体１０を実線で示す。
【００７６】
図９および図１０に示すように、入力装置Ｘ２は、入力装置Ｘ１が備える第２配線導体７の代わりに、第２配線導体２１を備えている。また、入力装置Ｘ２では、制御ＩＣ１１は、第２判定部１１６をさらに有している。
【００７７】
第２配線導体２１は、第２配線導体７と同様の役割を有する。第２配線導体２１は、外側領域Ｅ２に対応する絶縁層８上に複数設けられている。第２配線導体２１の一端は、図９において紙面右側に位置する第２検出電極パターン６の端部に電気的に接続されている。ここで、複数の第２配線導体２１は、互いに接続されている。変形例１では、９つの第２検出電極パターン６に対応して設けられた９つの第２配線導体２１が、１つの配線導体に集約されて導通領域Ｅ３に引き出されている。なお、９つの第２配線導体２１の全てが互いに接続されていなくともよい。
【００７８】
このように、複数の第２配線導体２１を互いに接続した場合、導通領域Ｅ３に引き出される配線導体の数を少なくすることができる。このため、外側領域Ｅ２を相対的に小さくすることができ、入力装置Ｘ２の小型化を実現することができる。
【００７９】
第２判定部１１６は、第１受信部１１２において受信した出力信号Ｉ１が所定値に達したか否かを判定する役割を有する。具体的には、入力装置Ｘ２では、複数の第２配線導体２１が互いに接続されている。このため、指Ｆ１が基体２の第１主面２Ａに近接した場合に、複数の第２検出電極パターン６のうちいずれの第２検出電極パターン６に出力信号Ｉ２が流れたのかを判別することができない。そこで、第２判定部１１６は、出力信号Ｉ１が所定値に達したか否かを判定することで、複数の第１検出電極パターン群４Ａのうち指Ｆ１と対向する第１検出電極パターン群４Ａを判別する。第１補正部１１４は、第２判定部１１６において出力信号Ｉ１が所定値に達したと判定された第１検出電極パターン群４Ａに対して、当該出力信号Ｉ１を補正する。
【００８０】
ここで、図１１を参照しながら、入力装置Ｘ２の動作について説明する。
【００８１】
入力装置Ｘ２では、図６に示したＯｐ１〜Ｏｐ６に加えて、Ｏｐ７を有する。Ｏｐ７は、Ｏｐ２とＯｐ４との間に位置する動作フローである。具体的には、第２判定部１１６には、例えば、所定の閾値が記録されている。Ｏｐ２において第１受信部１１２が受信した出力信号Ｉ１は、第２判定部１１６において上記の閾値と比較される（Ｏｐ７）。第２判定部１１６において出力信号Ｉ１が閾値以上であると判定された場合には（Ｏｐ７にてＹＥＳ）、当該閾値以上と判定された出力信号Ｉ１を出力信号Ｉ２に応じて補正する（Ｏｐ４）。一方、第２判定部１１６において出力信号Ｉ１が閾値未満であると判定された場合には（Ｏｐ７にてＮＯ）、Ｏｐ２へと戻り動作を繰り返す。このように、入力装置Ｘ２では、第２判定部１１６を備えているため、複数の第２配線導体２１が互いに接続されていたとしても検出精度が低下してしまう可能性を低減することができる。
【００８２】
［変形例２］  図１２は、変形例２に係る入力装置Ｘ３の概略構成を示すブロック図である。図１３は、変形例２に係る入力装置Ｘ３の動作を示すフローチャート図である。なお、図１２および図１３において、図４および図６と同様の機能を有する構成については、同じ参照符号を付記し、その詳細な説明は省略する。
【００８３】
図１２に示すように、入力装置Ｘ３では、制御ＩＣ１１は、第２補正部１１７をさらに有している。
【００８４】
第２補正部１１７は、第２受信部１１３が受信した出力信号Ｉ２を補正する役割を有する。具体的には、入力装置Ｘ３では、第２検出電極パターン６の平面視における面積と、第１検出電極パターン群４Ａの平面視における面積とは、互いに異なる。このため、出力信号Ｉ１に含まれるノイズ信号Ｉｘと、出力信号Ｉ２に含まれるＩ２に含まれるノイズ信号Ｉｘとは、互いに異なる。そこで、第２補正部１１７は、第２検出電極パターン６の平面視における面積と第１検出電極パターン群４Ａの平面視における面積との比率に応じて、出力信号Ｉ２を補正する。当該補正によって算出された補正値は、出力信号Ｉ１に含まれるノイズ信号Ｉｘと略同一になる。
【００８５】
ここで、図１３を参照しながら、入力装置Ｘ３の動作について説明する。
【００８６】
入力装置Ｘ３では、図６に示したＯｐ１〜Ｏｐ６に加えて、Ｏｐ８を有する。Ｏｐ８は、Ｏｐ３とＯｐ４との間に位置する動作フローである。具体的には、第２補正部１１７には、例えば、第１検出電極パターン群４Ａの平面視における面積と第２検出電極パターン６の平面視における面積との比率が記録されている。Ｏｐ３において第２受信部１１３が受信した出力信号Ｉ２は、上記の比率に応じて補正される（Ｏｐ８）。すなわち、Ｏｐ８において、出力信号Ｉ２を出力信号Ｉ１に含まれるノイズ信号Ｉｘと略同一の補正値に変換する。次に、当該補正値に基づいて出力信号Ｉ１から当該出力信号Ｉ１に含まれるノイズ信号Ｉｘをキャンセルする（Ｏｐ４）。このように、入力装置Ｘ３では、第２補正部１１７を備えているため、第１検出電極パターン群４Ａの平面視における面積と第２検出電極パターン６の平面視における面積とが異なる場合であっても、検出精度が低下してしまう可能性を低減することができる。
【００８７】
［変形例３］  なお、本明細書は、上記の実施形態、変形例１、および変形例２について個別具体的に説明したが、これに限らず、上記の実施形態、変形例１、および変形例２に個別に記載された事項を適宜組み合わせた例についても記載されているものである。すなわち、本発明に係る入力装置は、入力装置Ｘ１〜Ｘ３に限定されるものではなく、上記の実施形態、変形例１、および変形例２に個別に記載された事項を適宜組み合わせた入力装置も含む。
【００８８】
また、本実施形態では、入力装置Ｘ１を備えた表示装置Ｙ１について説明したが、本発明に係る表示装置は、これに限定されない。本発明に係る表示装置は、入力装置Ｘ１に代えて、入力装置Ｘ１または入力装置Ｘ２を備えていてもよい。
【００８９】
また、本実施形態では、入力装置Ｘ１を備えた携帯端末Ｚ１について説明したが、本発明に係る携帯端末は、これに限定されない。本発明に係る携帯端末は、入力装置Ｘ１に代えて、入力装置Ｘ１または入力装置Ｘ２を備えていてもよい。
【符号の説明】
【００９０】
Ｘ１〜Ｘ３  入力装置
Ｙ１  表示装置
Ｚ１  携帯端末
Ｅ１  入力領域
Ｅ２  外側領域
４  第１検出電極パターン
４Ａ  第１検出電極パターン群
５  第１配線導体
６  第２検出電極パターン
７  第２配線導体
９  第３検出電極パターン
１０  第３配線導体
１１  制御ＩＣ（制御部）
１１１  電圧供給部
１１２  第１受信部
１１３  第２受信部
１１４  第１補正部
１１５  第１判定部
１１６  第２判定部
１１７  第２補正部
１２  表示パネル
２０４  第２筐体（筺体）
２０５  外部接続端子
【図１】
2015011582.tif 000003
【図２】
2015011582.tif 000004
【図３】
2015011582.tif 000005
【図４】
2015011582.tif 000006
【図５】
2015011582.tif 000007
【図６】
2015011582.tif 000008
【図７】
2015011582.tif 000009
【図８】
2015011582.tif 000010
【図９】
2015011582.tif 000011
【図１０】
2015011582.tif 000012
【図１１】
2015011582.tif 000013
【図１２】
2015011582.tif 000014
【図１３】
2015011582.tif 000015